(57)【要約】【課題】横臥する生体の荷重を受けることで、ツボ効果の生じる寝具を提供する。【解決手段】生体が横臥可能なる大きさを有すると共に生体に直対向する側から離れる方向に向けて、遠赤外線を放射する石材の混入した繊維による第１層状体３及び生体に直対向する側から離れる方向に向けて開口７が上面側に複数形成されてなると共に該開口７間を架橋する架橋部８が前記第１層状体３の下面に当接してなり且つ該第１層状体３を保持可能なる第２層状体４が層状をなす。【選択図】　　　図３
2004024427.tif 000002
【特許請求の範囲】
【請求項１】
生体が横臥可能なる大きさを有すると共に生体に直対向する側から離れる方向に向けて次に列挙する部材が層状をなすことを特徴とする寝具。
（１）遠赤外線を放射する石材の混入した繊維による第１層状体
（２）生体に直対向する側から離れる方向に向けて開口が上面側に複数形成されてなると共に該開口間を架橋する架橋部が前記第１層状体の下面に当接してなり且つ該第１層状体を保持可能なる第２層状体
【請求項２】
請求項１に記載の寝具であって、
前記第２層状体の硬さは、５５度から６１度の範囲内であることを特徴とする寝具。
【請求項３】
請求項１又は請求項２に記載の寝具であって、
前記第２層状体は、厚さが５乃至１０ミリメートルのポリエステル製の板状をなし、前記開口はほぼ均一に形成されてなることを特徴とする寝具。
【請求項４】
請求項１乃至請求項３の何れか１項に記載の寝具であって、前記第１層状体と前記第２層状体とは、化粧部材により覆われてなることを特徴とする寝具。
【発明の詳細な説明】
【０００１】
【発明の属する技術分野】
この発明は、寝具、特に敷き布団の構造に関する。
【０００２】
【従来の技術】
従来、生体細胞に賦活効果を与える寝具として、例えば特許番号第２９２９２６９号がある。かかる寝具は、エレクトレット繊維が織り込まれた表地と、該表地の下に配されたエレクトレット性を有する電気石微粒子を含んだ繊維からなる不織布と、該不織布の下に配された通気性を有し且つ柔らかな大目ハニカムと、該大目ハニカムの下に配された剛性の高い小目ハニカムと、裏地とが層状をなすものである。
【０００３】
【発明が解決しようとする課題】
しかしながら、前記掲載公報の段落００１１に明示されているように、かかる寝具の圧電効果は、丸洗いすることが必要であって、丸洗いしないと圧電効果が低下してしまう。つまり、寝たきりの病人などの寝具であれば、少なくとも複数個確保しておいて、一方の寝具を丸洗いしている間に、他方の寝具に横臥していてもらう必要があり、病人の家族の経済的負担を強いるおそれがある。また、かかる寝具の焦電効果は、日光に照射することが必要であって、日光に照射しないと焦電効果が低下してしまう。つまり、寝たきりの病人などの寝具であれば、この点でも少なくとも複数個確保しておいて、一方の寝具を日光に照射している間に、他方の寝具に横臥していてもらう必要があり、病人の家族の経済的負担を強いるおそれがある。
【０００４】
また、前記掲載公報には、大目ハニカムの上に不織布を乗せている構造が開示されているが、その効果は、通気性とクッション性を述べるに止まるものでしかなく、ハニカムの本来持っている機能をそのまま発揮するものでしかない。
【０００５】
この発明は、このような従来の技術の課題を解決するために、横臥する生体の荷重を受けることで、ツボ効果の生じる寝具を提供するものである。
【０００６】
【課題を解決するための手段】
請求項１に記載の発明は、生体が横臥可能なる大きさを有すると共に生体に直対向する側から離れる方向に向けて次に列挙する部材が層状をなすことを特徴とする。
（１）遠赤外線を放射する石材の混入した繊維による第１層状体
（２）生体に直対向する側から離れる方向に向けて開口が上面側に複数形成されてなると共に該開口間を架橋する架橋部が前記第１層状体の下面に当接してなり且つ該第１層状体を保持可能なる第２層状体
【０００７】
請求項１に記載の発明によれば、生体が横臥可能な大きさであるので、生体が第１層状体に横臥すると、該生体自体による荷重が第１層状体を経て第２層状体に加わるが、該第２層状体の架橋部が変形しにくいので、該第２層状体の上側に配された遠赤外線を放射する石材の混入した繊維による第１層状体に対して、第２層状体の架橋部の部分のみが第１層状体を加圧し、第１層状体が遠赤外線を放射することで、生体の温度が上昇し、生体の表皮のみならず、身体の深部まで温めることができるし、遠赤外線を放射する石材により温度の均一化を図ることが出来る。また、遠赤外線を放射する石材は、熱吸収率が高いので、長時間温めた状態が確保できるばかりか、抗菌効果、消臭効果、抗カビ効果に優れる。また、第２層状体の開口を経て熱或いは水分が放散可能であるので、通気性或いは通水性が良く、じめじめ感を与えず、乾燥しやすい。更に、第１層状体が繊維よりなるので、クッション性に優れ、さまざまな寝相に対応できる。更に又、第２層状体に開口が形成されてなることで軽量になり、折畳みも容易となるので、三重折りなどが可能で、格納がコンパクトになる。
【０００８】
請求項２に記載の発明は、請求項１に記載の寝具であって、前記第２層状体の硬さは、５５度から６１度の範囲内であることを特徴とする。
【０００９】
請求項２に記載の発明によれば、請求項１に記載の効果に加え、前記第２層状体の硬さは、５５度から６１度の範囲内なので、横臥した生体に対して架橋部が生体のツボを押す（生体自体の荷重を支えることで、該支え部が相対的に押し上げると同じ押す）ことになり、気持ちの良い横臥感を与えることができるばかりか、生体を適度のクッション感で保持可能である。また、かかる硬度であるので、自立性を有することにより開口が潰れず、通気性、通水性を損なうことがない。
【００１０】
請求項３に記載の発明は、請求項１又は請求項２に記載の寝具であって、前記第２層状体は、厚さが５乃至１０ミリメートルのポリエステル製の板状をなし、開口はほぼ均一に形成されてなることを特徴とする。
【００１１】
請求項３に記載の発明によれば、請求項１又は請求項２に記載の効果に加え、前記第２層状体の厚さが５乃至１０ミリメートルのポリエステル製の板状なので、生体が横臥した時にほぼ半分の板厚まで凹むが、その凹み位置で生体を適度に保持可能である。開口を形成する際に開口の形状に抜いた残骸は熱可塑性のポリエステルなので、リサイクルが容易となり、原価低減が図れる。
【００１２】
請求項４に記載の発明は、請求項１乃至３の何れか１項に記載の寝具であって、前記第１層状体と前記第２層状体とは、化粧部材により覆われてなることを特徴とする。
【００１３】
請求項４に記載の発明によれば、請求項１乃至３の何れか１項に記載の効果に加え、前記化粧部材を第１層状体及び第２層状体から外して洗濯をしたり、新しい化粧部材に交換するだけで、清潔に長期間使用できる。遠赤外線を放射する石材の混入した繊維による第１層状体は、化粧部材を経て生体によい影響を与えることができる。
【００１４】
【発明の実施の形態】
本発明の好適な実施形態を図を用いて説明する。
【００１５】
図１乃至図４に基づいて、本発明の一実施形態の構成を説明する。符号１は、長方形の短冊状をなす寝具で、該寝具１は、生体２が横臥可能なる大きさを有すると共に生体２に直対向する側から離れる方向に向けて次に列挙する部材が層状をなす。即ち、生体２に直対向する側に配される遠赤外線を放射する石材の混入した繊維による不織布などの第１層状体３と、該第１層状体３の生体２から離れる方向側に積層される第２層状体４と、該第２層状体４の生体２から離れる方向側及び前記第１層状体３の生体２側それぞれに積層される第１，第２化粧部材５，６とよりなる。
【００１６】
前記第１層状体３は、遠赤外線を放射する石材の混入した繊維によるもので、この石材の１つは、「三仙石」といわれる青や茶色の美しい模様のある火成岩の一種で、皮膚に対する刺激が少なく、生理的効果の高い４〜１４ミクロンの波長の遠赤外線を多量に放射するものである。従って、第１層状体３をより詳細に説明すると、かかる石材など多種類の天然石を所定比率で混合後、細かく粉砕して超微粒子のパウダー状にしたものを、ポリエステルなどの合成樹脂などに練り込み製法により混入した原料綿そのもの、あるいは該原料綿によってつくられた不織布（ニードルフェルト、樹脂綿等）、あるいは糸状にし繊維や編み物の生地にしたてつくられたものである。
【００１７】
前記第２層状体４は、厚さｈが５乃至１０ミリメートル、望ましくは８ミリメートルのポリエステル製の板状をなし、硬さが５５度から６１度、望ましくは５６．６度である。前記第２層状体４には、生体２に直対向する側から離れる方向に向けて短幅５ミリメートル、長幅１６ミリメートルの菱形をなす開口７が上面側にほぼ均一に複数形成されてなる。該開口７，７間には、架橋部８、８が前記第１層状体３の下面に当接してなり且つ該第１層状体３を保持可能である。前記第２層状体４の端部の幅ｌ１は１０ミリメートル、架橋部８の幅ｌ２は５ミリメートルである。前記開口７について菱形と説明したが、菱形に限定されるものではなく、格子状でも短冊状でも良い。要は、生体２を断続的に保持可能な架橋部８が形成されていれば、形状に限定されるものではない。
【００１８】
前記第１，第２化粧部材５，６は、ソフトな感覚を横臥する生体２に与えるもので、生体２の汗を吸い込み易い綿状の材質により形成されているが、絹などでも良い。要は汗や尿をはじくものではなく、吸収できるものであればよい。符号９は、第１，第２化粧部材５，６間に前記第１，第２層状体３，４を挟み込んで縫製してなる糸で、格子状に縫製されて成り、相互に移動が防止される。符号１０は閉ループ状をなすヘムで、前記第１，第２化粧部材５，６及び第１，第２層状体３，４の端部を覆って、前記糸９により縫製支持されてなる。
【００１９】
かかる構成より成る寝具１の作用について次に説明する。
【００２０】
寝具１が生体２の横臥が可能な大きさであるので、生体２が第１層状体３に第１化粧部材５を介して横臥すると、該生体２自体による荷重が第１層状体３を経て第２層状体４に加わるが、該第２層状体４の硬度により第２層状体４の架橋部８，８が変形しにくいので、ツボ押し効果が発生し、該第２層状体４の上側に配された遠赤外線を放射する石材の混入した繊維による第１層状体３に対して、第２層状体４の架橋部８，８の部分のみが第１層状体３を加圧し、第１層状体３が遠赤外線を放射することで、生体２の温度が上昇し、生体２の表皮のみならず、身体の深部まで温めることができるし、遠赤外線を放射する石材により温度の均一化を図ることが出来る。また、遠赤外線を放射する石材は、熱吸収率が高いので、長時間温めた状態が確保できるばかりか、抗菌効果、消臭効果、抗カビ効果に優れる。また、第２層状体４の開口７を経て熱或いは水分が放散可能であるので、通気性或いは通水性が良く、じめじめ感を与えず、乾燥しやすい。更に、第１層状体３が繊維よりなるので、クッション性に優れ、さまざまな寝相に対応できる。更に又、第２層状体４に開口７が形成されてなることで軽量になり、折畳みも容易となるので、三重折りなどが可能で、格納がコンパクトになる。
【００２１】
前記第２層状体の硬さは、５５度から６１度の範囲内なので、横臥した生体に対して架橋部が生体のツボを押す（生体自体の荷重を支えることで、該支え部が相対的に押し上げると同じ押す）ことになり、気持ちの良い横臥感を与えることができるばかりか、生体を適度のクッション感で保持可能である。また、かかる硬度であるので、自立性を有することにより開口が潰れず、通気性、通水性を損なうことがない。
【００２２】
前記第２層状体４の厚さが５乃至１０ミリメートル、望ましくは８ミリメートルのポリエステル製の板状なので、生体２が横臥した時にほぼ半分の板厚まで凹むが、その凹み位置で生体２を適度に保持可能である。開口を形成する際に開口の形状に抜いた残骸は熱可塑性のポリエステルなので、リサイクルが容易となり、原価低減が図れる。また、第２層状体４が厚すぎると折り畳みにくく、薄すぎると凹み代が少なくて堅い寝心地を与えることになる。
【００２３】
前記第１，第２化粧部材５，６を第１層状体３及び第２層状体４から外して洗濯をしたり、新しい化粧部材に交換するだけで、清潔に長期間使用できる。遠赤外線を放射する石材の混入した繊維による第１層状体３は、化粧部材を経て生体によい影響を与えることができる。
【００２４】
こうして第２層状体４の架橋部８によって押された第１層状体３が早期に暖まるので、生体２側に配されている遠赤外線を放射する石材の混入した繊維による第１層状体３により、生体２を早急に温めることができる。第１層状体３が遠赤外線を放射する石材により温度の均一化を図ることが出来る。また、遠赤外線を放射する石材は、熱吸収率が高い。
【００２５】
遠赤外線を放射する石材の混入した繊維による第１層状体３は、練り込み製法のため、洗濯をしても効果は失われない。また、抗菌性に優れ、院内感染が心配される医療機関で寝具１として使われても、その必要性は著しく大きい。
【００２６】
図５は、本発明の他の実施形態で、その異なる点は、前記第１，第２化粧部材５，６の代わりに、袋状に形成されてなる第３，第４化粧部材１１，１２を用いた点にあり、該袋１１，１２の開口部から、予め組み立てた第１層状体３及び第２層状体４を一塊りにして袋１１，１２内に挿入し、係合部材１３を閉成することで寝具１としたものである。
【００２７】
図５に示すような寝具１にすれば、組立作業性が向上し、原価が著しく低減できる。
【００２８】
【発明の効果】
請求項１に記載の発明によれば、生体が横臥可能な大きさであるので、生体が第１層状体に横臥すると、該生体自体による荷重が第１層状体を経て第２層状体に加わるが、該第２層状体の架橋部が変形しにくいので、該第２層状体の上側に配された遠赤外線を放射する石材の混入した繊維による第１層状体に対して、第２層状体の架橋部の部分のみが第１層状体を加圧し、第１層状体が遠赤外線を放射することで、生体の温度が上昇し、生体の表皮のみならず、身体の深部まで温めることができるし、遠赤外線を放射する石材により温度の均一化を図ることが出来る。また、遠赤外線を放射する石材は、熱吸収率が高いので、長時間温めた状態が確保できるばかりか、抗菌効果、消臭効果、抗カビ効果に優れる。また、第２層状体の開口を経て熱或いは水分が放散可能であるので、通気性或いは通水性が良く、じめじめ感を与えず、乾燥しやすい。更に、第１層状体が繊維よりなるので、クッション性に優れ、さまざまな寝相に対応できる。更に又、第２層状体に開口が形成されてなることで軽量になり、折畳みも容易となるので、三重折りなどが可能で、格納がコンパクトになる。
【００２９】
請求項２に記載の発明によれば、請求項１に記載の効果に加え、前記第２層状体の硬さは、５５度から６１度の範囲内なので、横臥した生体に対して架橋部が生体のツボを押す（生体自体の荷重を支えることで、該支え部が相対的に押し上げると同じ押す）ことになり、気持ちの良い横臥感を与えることができるばかりか、生体を適度のクッション感で保持可能である。また、かかる硬度であるので、自立性を有することにより開口が潰れず、通気性、通水性を損なうことがない。
【００３０】
請求項３に記載の発明によれば、請求項１又は請求項２に記載の効果に加え、前記第２層状体の厚さが５乃至１０ミリメートルのポリエステル製の板状なので、生体が横臥した時にほぼ半分の板厚まで凹むが、その凹み位置で生体を適度に保持可能である。開口を形成する際に開口の形状に抜いた残骸は熱可塑性のポリエステルなので、リサイクルが容易となり、原価低減が図れる。
【００３１】
請求項４に記載の発明によれば、請求項１乃至３の何れか１項に記載の効果に加え、前記化粧部材を第１層状体及び第２層状体から外して洗濯をしたり、新しい化粧部材に交換するだけで、清潔に長期間使用できる。遠赤外線を放射する石材の混入した繊維による第１層状体は、化粧部材を経て生体によい影響を与えることができる。
【図面の簡単な説明】
【図１】この発明の一実施形態に係る寝具を示す斜視図。
【図２】図１のＳＡ−ＳＡ線に沿った断面図。
【図３】図２の第１，第２層状体を上面から示す平面図。
【図４】図２の端部における第２層状体の斜視図。
【図５】この発明の他の実施形態に係る図２相当断面図。
【符号の説明】
１　寝具
２　生体
３　第１層状体
４　第２層状体
５、１１　第１化粧部材
６、１２　第２化粧部材
７　開口
８　架橋部
９　糸
１０　ヘム
【図１】
2004024427.tif 000003
【図２】
2004024427.tif 000004
【図３】
2004024427.tif 000005
【図４】
2004024427.tif 000006
【図５】
2004024427.tif 000007